【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
セルラーネットワークにおいて位置追跡の通知を容易にするシステムであって、
無線信号を通信する移動通信コンポーネントと、
位置決め情報の決定を容易にする、前記移動通信コンポーネントに関連付けられた位置サービスコンポーネントと
を備え、
前記移動通信コンポーネントは、前記位置サービスコンポーネントを含むことを特徴とするシステム。
【請求項２】
前記移動通信コンポーネントは、前記位置決め情報を要求するクライアントから、直接、位置要求メッセージを受信することを特徴とする請求項１に記載のシステム。
【請求項３】
前記移動通信コンポーネントは、サーバを介して、前記位置決め情報を要求するクライアントから位置要求メッセージを間接的に受信することを特徴とする請求項１に記載のシステム。
【請求項４】
前記移動通信コンポーネントは、Ａ−ＧＰＳ技術を含むことを特徴とする請求項１に記載のシステム。
【請求項５】
前記移動通信コンポーネントは、１つの又は遅延された複数のレポート形式で、位置報告をリモート無線クライアントに返信することを特徴とする請求項１に記載のシステム。
【請求項６】
リモート無線クライアントは、位置追跡要求を、直接、前記位置サービスコンポーネントに通信することを特徴とする請求項１に記載のシステム。
【請求項７】
前記移動通信コンポーネントは、ＯＭＡ／ＬＩＦ  ＭＬＰプロトコルを使用して通信することを特徴とする請求項１に記載のシステム。
【請求項８】
前記位置サービスコンポーネントは、リモートクライアントを認証することを特徴とする請求項１に記載のシステム。
【請求項９】
前記位置サービスコンポーネントは、ロケーションサービス（ＬＣＳ）サーバを含むことを特徴とする請求項１に記載のシステム。
【請求項１０】
前記位置サービスコンポーネントは、遅延のある位置報告の自動生成及び報告を容易にすることを特徴とする請求項１に記載のシステム。
【請求項１１】
前記位置サービスコンポーネントは、タイマによりトリガーされる報告を容易にすることを特徴とする請求項１に記載のシステム。
【請求項１２】
前記位置サービスコンポーネントは、オンボード位置受信機を介した速度の決定を容易にすることを特徴とする請求項１に記載のシステム。
【請求項１３】
前記位置サービスコンポーネントは、位置情報を報告するために、ＭＯ−ＬＲ又はＭＴ−ＬＲの少なくとも一方の使用を容易にすることを特徴とする請求項１に記載のシステム。
【請求項１４】
前記位置サービスコンポーネントは、コア無線ネットワークから関連アシストデータを取得することを特徴とする請求項１に記載のシステム。
【請求項１５】
前記位置サービスコンポーネントは、位置要求メッセージにおいて１つ又は複数のトリガーをアクティブにすることを特徴とする請求項１に記載のシステム。
【請求項１６】
前記位置サービスコンポーネントは、位置要求メッセージの各トリガーイベントで、位置報告の生成を容易にすることを特徴とする請求項１に記載のシステム。
【請求項１７】
前記位置サービスコンポーネントは、有効期間にわたってＡ−ＧＰＳデータを使用することを特徴とする請求項１に記載のシステム。
【請求項１８】
前記位置サービスコンポーネントは、他の移動端末からの位置要求信号を処理することを特徴とする請求項１に記載のシステム。
【請求項１９】
請求項１のシステムによる移動通信装置。
【請求項２０】
請求項１のシステムを使用するマルチモードセルラー電話機。
【請求項２１】
請求項１のシステムを実行するためのコンピュータ実行可能な命令を格納したコンピュータ読み取り可能な記録媒体。
【請求項２２】
位置追跡情報を容易にする移動端末において、
無線信号を通信する通信コンポーネントと、
ＬＣＳサーバを使用して、位置要求メッセージである無線信号を処理することにより、位置情報を提供する位置サービスコンポーネントと
を備えることを特徴とする移動端末。
【請求項２３】
前記移動端末は、当該移動端末に前記位置要求メッセージを直接送信し、前記位置情報を受信するリモート無線クライアントを備えることを特徴とする請求項２２に記載の移動端末。
【請求項２４】
前記位置サービスコンポーネントは、１つ又は遅延のある複数のレポート形式で、リモートクライアントへの位置報告を生成することを特徴とする請求項２２に記載の移動端末。
【請求項２５】
前記移動端末は、前記位置要求メッセージを、直接、リモート無線クライアントから受信し、前記リモート無線クライアントを認証することを特徴とする請求項２２に記載の移動端末。
【請求項２６】
前記位置サービスコンポーネントは、遅延のある位置報告の自動的な生成及び報告を容易にすることを特徴とする請求項２２に記載の移動端末。
【請求項２７】
位置要求メッセージ又は前記位置情報の少なくとも１つは、ユーザプレーンを介して送信されることを特徴とする請求項２２に記載の移動端末。
【請求項２８】
位置要求メッセージ又は前記位置情報の少なくとも１つは、制御プレーンを介して送信されることを特徴とする請求項２２に記載の移動端末。
【請求項２９】
前記ＬＣＳサーバは、前記位置要求メッセージにおいて１つ又は複数のトリガーをアクティブにすることを特徴とする請求項２２に記載の移動端末。
【請求項３０】
前記１つ又は複数のトリガーは、タイマ、絶対的な地域、相対的な位置、緊急呼出し、速度、マニュアル信号、又は、ユーザ警告ありの又はなしの報告、のうちの少なくとも１つに基づくことを特徴とする請求項２９に記載の移動端末。
【請求項３１】
前記位置サービスコンポーネントは、前記位置要求メッセージの１つ又は複数のトリガーの各々で、位置報告の生成を容易にすることを特徴とする請求項２２に記載の移動端末。
【請求項３２】
無線クライアントは、サーバを介して前記位置要求メッセージを間接的に前記位置サービスコンポーネントに通信し、前記位置情報を受信することを特徴とする請求項２２に記載の移動端末。
【請求項３３】
位置追跡情報を提供する方法において、
移動端末装置において、前記位置追跡情報を提供する位置サービスアプリケーションを使用することを特徴とする方法。
【請求項３４】
前記位置サービスアプリケーションは、ＬＣＳサーバを含むことを特徴とする請求項３３に記載の方法。
【請求項３５】
前記位置要求メッセージは、要求中のクライアントから直接的に受信されるか、又は、ゲートウェイサーバを介して前記要求中のクライアントから間接的に受信されるかの少なくとも一方であることを特徴とする請求項３３に記載の方法。
【請求項３６】
要求中の無線クライアントに対する前記移動端末装置からの通信に関する位置追跡報告を自動的に生成することをさらに含むことを特徴とする請求項３３に記載の方法。
【請求項３７】
移動通信ネットワークからアシストデータを要求することをさらに含むことを特徴とする請求項３３に記載の方法。
【請求項３８】
前記アシストデータは、Ａ−ＧＰＳ技術に対応することを特徴とする請求項３７に記載の方法。
【請求項３９】
１つの又は遅延のある複数のレポート形式で、前記位置追跡情報を位置追跡報告として前記移動端末装置から送信することをさらに含むことを特徴とする請求項３３に記載の方法。
【請求項４０】
ＯＭＡ／ＬＩＦ  ＭＬＰプロトコルを使用して、前記位置追跡情報を通信することをさらに含むことを特徴とする請求項３３に記載の方法。
【請求項４１】
前記位置サービスアプリケーションを使用して、前記移動端末装置と通信するリモート無線装置を認証することをさらに含むことを特徴とする請求項３３に記載の方法。
【請求項４２】
イベントを含む位置要求メッセージを受信すること、
前記位置追跡情報を生成するイベントを処理すること
をさらに含むことを特徴とする請求項３３に記載の方法。
【請求項４３】
前記位置追跡アプリケーションを使用して位置要求メッセージを処理し、速度を決定することをさらに含むことを特徴とする請求項３３に記載の方法。
【請求項４４】
１つ又は複数のトリガーイベントを含む位置要求メッセージを受信すること、
前記移動端末装置で前記１つ又は複数のトリガーイベントをアクティブにし、前記位置追跡情報を提供することを特徴とする請求項３３に記載の方法。
【請求項４５】
ユーザプレーン又は制御プレーンの少なくとも一方を介して、前記位置追跡情報を通信することをさらに含むことを特徴とする請求項３３に記載の方法。
【請求項４６】
ユーザプレーン又は制御プレーンの少なくとも一方を介して、位置要求メッセージを受信することをさらに含むことを特徴とする請求項３３に記載の方法。
【請求項４７】
前記位置追跡情報を要求する移動装置から位置要求メッセージを受信することをさらに含むことを特徴とする請求項３３に記載の方法。
【請求項４８】
位置追跡情報を提供する方法であって、
無線信号を通信する移動端末装置を提供すること、
前記移動端末装置においてＬＣＳサービスを使用すること、
位置要求メッセージを受信すること、
前記ＬＣＳサービスで前記位置要求メッセージを処理し、位置追跡報告を自動的に生成すること
を含むことを特徴とする方法。
【請求項４９】
前記位置要求メッセージにおいて１つ又は複数のトリガーイベントをアクティブにすること、
前記１つ又は複数のトリガーの各々で位置追跡報告を生成すること
をさらに含むことを特徴とする請求項４８に記載の方法。
【請求項５０】
ユーザプレーン又は制御プレーンの少なくとも一方を介して、リモート移動端末装置に前記位置追跡情報を送信することを特徴とする請求項４８に記載の方法。
【請求項５１】
アシスト情報を要求し取得すること、
前記アシスト情報の有効期間において前記アシスト情報を使用すること
をさらに含むことを特徴とする請求項４８に記載の方法。
【請求項５２】
前記移動端末装置の位置又は速度の少なくとも一方に基づいて、前記位置要求メッセージの少なくとも１つ又は複数のイベントトリガーを処理することをさらに含むことを特徴とする請求項４８に記載の方法。
【請求項５３】
移動端末装置における位置追跡情報の生成を容易にするシステムにおいて、
位置要求メッセージを受信する手段と、
前記位置要求メッセージを処理して、当該位置要求メッセージに含まれるトリガーイベントをアクティブにする手段と、
無線ネットワークからアシストデータを取得する手段と、
前記トリガーイベントに基づいて位置追跡報告を自動的に生成する手段と、
要求中のクライアントに前記位置追跡情報を通信する手段と
を備えることを特徴とするシステム。